(57)【要約】【課題】本発明は、マンションの様な集合住宅で建物管理者が頻繁に変わった場合においてもシリンダ錠装置本体自体を全面変更する必要がなく、キーをチェンジするだけで錠装置本体を全く新規な状態と同じ使用状態で使用でき、キーを使用順序に従ってパッケージしてあり、使用する順序を決して間違えないチェンジキータイプの錠装置使用システムを提供することを目的とするものである。【解決手段】本発明は、チェンジキータイプの錠装置使用システムであり、外筒と内筒とキー挿入溝と第１摺動孔と第２摺動孔と第１ピンと第２ピンと離脱可能ピンと離脱可能ピン収容孔とを有する錠と、キーとを備え、キーを異なるキーに交換可能とし、複数個ある交換キーは使用順序を飛ばして変更したとき、順序を飛ばされた交換キーの使用が不可となる錠であって、交換キーは順序通りの使用が確定可能にパッケージしてあることを特徴とする。【選択図】              図１
2006097287.tif 000002
【特許請求の範囲】
【請求項１】
嵌合孔が穿設された外筒と、
該嵌合孔に回転可能に遊嵌された内筒と、
前記内筒の前後方向に向かって設けられたキー挿入溝と、
前記内筒の径方向に穿設され、前記キー挿入溝の幅方向側面に連通する第１摺動孔と、  
前記第１摺動孔に連通すべく外筒の径方向に設けられた第２摺動孔と、
前記第１摺動孔に収容される第１ピンと、
前記第２摺動孔に収容され、かつ前記内筒側に付勢される第２ピンと、
前記第１ピンと前記第２ピンとの間に介在される離脱可能ピンと、
前記離脱可能ピンを前記第１ピンと前記第２ピンの間から取り除いて収容する内筒に設けられた離脱可能ピン収容孔と、
を有する錠と、
前記キー挿入溝に挿入され、前記第１ピン、第２ピン及び離脱可能ピンを移動させて内筒を外筒に対して回転可能とするキーと、
を備え、
前記キーを異なるキーに交換可能とし、該交換したキーをキー挿入溝に挿入、操作し離脱可能ピンを離脱可能ピン収容孔に収容してキーチェンジを可能としてなり、
複数個用意された交換キーは該交換キーの使用順序を飛ばして変更したとき、順序を飛ばされた交換キーの使用が不可となる錠であって、
前記複数個の交換キーは順序通りの使用が確定可能にパッケージしてあることを特徴とするチェンジキータイプの錠装置使用システム。
【請求項２】
前記離脱可能ピンは球状に形成された、  
ことを特徴とする請求項１記載のチェンジキータイプの錠装置使用システム。
【発明の詳細な説明】
【技術分野】
【０００１】
本発明は、建物の扉などに取り付けられる錠に係り、特に複数のキー使用が可能なチェンジキータイプの錠装置使用システムに関するものである。
【背景技術】
【０００２】
シリンダ錠は、キーを鍵孔に挿入して回動操作することにより、簡単に扉などを施錠 、解錠することが出来る。また、施錠操作をしてキーを抜き取ると、他人による解錠操作が阻止されるので非常に便利である。
【０００３】
このように近年シリンダ錠は、建物の扉やロッカーの扉など、広い分野に用いられている。
【０００４】
ここで、従来のチェンジキータイプのシリンダ錠は、一般に最初のキーをいわゆるゼネコンと称される建設会社が建物建築中に使用した後、その後の建物使用者が前記最初のキーをチェンジし、次のチェンジしたキーを使用するために用いられている。
【０００５】
そして従来、建物使用者あるいは建物管理者が変わった場合にはその都度防犯のためシリンダ錠装置を変更しなければならなかった。
【０００６】
かかる場合、従来ではシリンダ錠装置本体自体を全面的に交換しなければならず、マンション住宅のような集合住宅のシリンダ錠装置本体交換の場合には交換コストの面できわめて高価になってしまうとの課題があった。
【特許文献１】特開平５−２７２２６３号公報
【発明の開示】
【発明が解決しようとする課題】
【０００７】
かくして、本発明は、前記の課題に鑑みて創案さらたもので、マンションの様な集合住宅で建物使用者あるいは建物管理者が頻繁に変わった場合においても防犯のため等の理由でシリンダ錠装置本体自体を全面変更する必要がなく、使用するキーをチェンジするだけで予め取り付けられている錠装置本体を全く新規な状態と同じ使用状態でそのまま使用でき、しかもチェンジして使用するキーの取り出しを使用順序に従ってパッケージしてあり、もって建物使用者あるいは建物管理者が頻繁に変わった場合においてもキーを取り出して使用する順序を決して間違えないチェンジキータイプの錠装置使用システムを提供することを目的とするものである。
【課題を解決するための手段】
【０００８】
本発明によるチェンジキータイプの錠装置使用システムは、
嵌合孔が穿設された外筒と、
該嵌合孔に回転可能に遊嵌された内筒と、
前記内筒の前後方向に向かって設けられたキー挿入溝と、
前記内筒の径方向に穿設され、前記キー挿入溝の幅方向側面に連通する第１摺動孔と、  
前記第１摺動孔に連通すべく外筒の径方向に設けられた第２摺動孔と、
前記第１摺動孔に収容される第１ピンと、
前記第２摺動孔に収容され、かつ前記内筒側に付勢される第２ピンと、
前記第１ピンと前記第２ピンとの間に介在される離脱可能ピンと、
前記離脱可能ピンを前記第１ピンと前記第２ピンの間から取り除いて収容する内筒に設けられた離脱可能ピン収容孔と、
を有する錠と、
前記キー挿入溝に挿入され、前記第１ピン、第２ピン及び離脱可能ピンを移動させて内筒を外筒に対して回転可能とするキーと、
を備え、
前記キーを異なるキーに交換可能とし、該交換したキーをキー挿入溝に挿入、操作し離脱可能ピンを離脱可能ピン収容孔に収容してキーチェンジを可能としてなり、
複数個用意された交換キーは該交換キーの使用順序を飛ばして変更したとき、順序を飛ばされた交換キーの使用が不可となる錠であって、
前記複数個の交換キーは順序通りの使用がされるようパッケージしてあることを特徴とし、
または、
前記離脱可能ピンは球状をなしている、  
ことを特徴とするものである。
【発明の効果】
【０００９】
本発明によるチェンジキータイプの錠装置使用システムであれば、
建物使用者あるいは建物管理者が頻繁に変わった場合においても防犯のため等の理由から錠装置本体自体を変更する必要がなく、使用するキーをチェンジするだけ予め取り付けられている錠装置本体をそのまま使用でき、しかもチェンジして使用するキーの使用を確定された使用順序に従ってパッケージされてり、取り出して使用する順序を決して間違えないようにしてある。
【００１０】
よって、錠装置に要するコストも安価でしかも更新キーを無駄なく使用できるとの優れた効果を奏する。
【発明を実施するための最良の形態】
【００１１】
以下、各図を参照して本発明の一実施の最良の形態を説明する。
図１、図２に本発明による錠装置１の概略要部構成が示されている。
【００１２】
まず、本実施例による錠装置１は、嵌合孔３が穿設された外筒２と、当該嵌合孔３に回転可能に遊嵌された内筒４とを備えて構成される。
【００１３】
また、前記内筒４の前後方向に向かっては図３等に示すキー５が挿入されるキー挿入溝６が設けられている。
【００１４】
さらに、内筒４の径方向には前記キー挿入溝６の幅方向側面に連通する第１摺動孔７が設けられており、さらに該第１摺動孔７と略一直線状態で連通する第２摺動孔８が外筒３の径方向に向かって設けられている。
【００１５】
図から理解されるように、前記第１摺動孔７には第１ピン９が収容されていると共に、第２摺動孔８にはスプリングなどによって前記内筒４側に付勢力が与えられている第２ピン１０が収容されている。
【００１６】
さらに、前記第１ピン９と第２ピン１０との間には球状をなす離脱可能ピン１１が介在して設けられている。
【００１７】
尚、当該離脱可能ピン１１の形状については何ら限定されるものではなく、球状でも方形状でも構わないものである。ただ、球状に形成された離脱可能ピン１１であれば、後述する離脱作業がスムーズに行える利点がある。
【００１８】
また、内筒４の外周面所定位置には前記離脱可能ピン１１を第１ピン９と第２ピン１０との間から取り除いて収容する離脱可能ピン収容孔１２が設けられている。
【００１９】
ここで、図１の（Ａ）に示すようにキー５に設けられている操作孔１３が比較的深い操作孔１３であるときには、第１ピン９及び離脱可能ピン１１が内筒４に設けられた第１摺動孔８内に完全に収納され、前記内筒４は回転可能となってシリンダ錠の施解錠操作が可能となっている。
【００２０】
しかるに図１の（Ｂ）に示すように、キー５に設けられた操作孔１３が浅い孔の場合には、第１ピン９のみで第１摺動孔８の深さ方向は一杯になってしまい、第２ピン１０及び離脱可能ピン１１は外筒２の第２摺動孔８内に残ることになる。
【００２１】
よって、その状態からキー５を回転させると、内筒４が回転し、前記の離脱可能ピン１１が離脱して離脱可能ピン収容孔１２内に収容されることになる。
【００２２】
すると、その以後、図２の（Ｂ）に示すようにキー５に設けられている操作孔１３が比較的深い操作孔１３のものを使用するときには、内筒４側に付勢力が与えられている第２ピン１０が摺動して第１摺動孔７内にその先端部が入り込んでしまい、これにより内筒４の回転が阻止されるものとなる。
【００２３】
ここで、図７に示すように、まず本実施例では５本のキー５（１本の基キーと４本の更新キー）が使用できる構成とされている。
【００２４】
そして、図７にはキー使用状態の説明を簡単にするため簡略化した５つの操作孔１３が設けられたキー５を概略図として示してある。
【００２５】
ここで、図７の（１）に示すキー５が第１番目に使用される基になるキー５である。
【００２６】
このキー５を使用したときには、当該深い操作孔１３（キー５の基端側から先端側に向かっての４箇所の操作孔）に対応する４箇所の第１摺動孔７及び第２摺動孔８にそれぞれ第１ピン９、第２ピン１０及び離脱可能ピン１１が収容されている。
【００２７】
そして、図７の（１）に示す基のキー５を使用したときには、前記の４箇所全て図１の（Ａ）に示す状態となり内筒４が回転できし、その結果本実施例のシリンダ錠の施解錠操作が行えるものとなっている。
【００２８】
次に、図７の（１）に示すキー５の使用を中止し、キー使用の順番に従い、図７の（２）に示すキー５（第１更新キー）を使用するものとする。
【００２９】
かかる場合に、まず図７の（２）に示すキー５（第１更新キー）をキー挿入溝６に挿入する。
【００３０】
すると、図７の（２）に示すキー５の一番基端側に位置する浅い操作孔１３の箇所が図１の（Ｂ）の状態となり、その状態から内筒４を回転すると、離脱可能ピン１１は図２の（Ａ）に示すように離脱可能ピン収容孔１２内に収容され、かつ以後図７の（１）に示す基のキーであるキー５を使用すると、図２の（Ｂ）の状態となるため、図７の（１）に示す基のキーであるキー５が使用できなくなるのである。
【００３１】
さらに、図７の（１）、（２）に示すキー５の使用を不可とし、図７の（３）に示すキー５（第２更新キー）の使用をしたいときには、当該図７の（３）に示すキー５をキー挿入溝６に挿入して回転する。
【００３２】
すると、図７の（３）に示すキー５の基端側より二番目に位置する浅い操作孔１３の箇所が図１の（Ｂ）の状態となり、その状態から内筒４を回転すると、離脱可能ピン１１は図２の（Ａ）に示すように離脱可能ピン収容孔１２内に収容され、以後図７の（１）及び（２）に示すキー５を使用すると、図２の（Ｂ）の状態となって図７の（１）及び（２）に示す元のキーおよび第１更新キーである２つのキー５が使用できなくなるのである。
さらに、図７の（１）、（２）、（３）に示すキー５の使用を不可とし、図７の（４）に示すキー５（第３更新キー）の使用をしたいときには、当該図７の（４）に示すキー５をキー挿入溝６に挿入して回転する。
【００３３】
するとやはり、図７の（４）に示すキー５の基端側より三番目に位置する浅い操作孔１３の箇所が図１の（Ｂ）の状態となり、その状態から内筒４を回転すると、その離脱可能ピン１１は図２の（Ａ）に示すように離脱可能ピン収容孔１２内に収容され、以後図７の（１）、（２）及び（３）に示すキー５を使用すると、図２の（Ｂ）の状態となって図７の（１）、（２）及び（３）に示すキー５が使用できなくなるのである。
さらに、図７の（１）、（２）、（３）、（４）に示すキー５の使用を不可とし、図７の（５）に示すキー５の使用をしたいときには、当該図７の（５）に示すキー５（第４更新キー）をキー挿入溝６に挿入して回転する。
【００３４】
すると、図７の（５）に示すキー５の先端側より二番目に位置する浅い操作孔１３に対応する摺動孔７，８に収容されている第１ピン８，第２ピン９及び離脱可能ピン１０が図１の（Ｂ）の状態となり、その状態から内筒４を回転すると、その離脱可能ピン１１は図２の（Ａ）に示すように離脱可能ピン収容孔１２内に収容され、以後図７の（１）、（２）、（３）及び（４）に示すキー５を使用すると、図２の（Ｂ）の状態となって図７の（１）、（２）、（３）及び（４）に示すキー５が使用できなくなるのである。
このように、本実施例では図７に示す（１）から（５）までのキー５が更新して使用できるように構成されているが、あくまでキー５の更新使用は図７の（１）、（２）、（３）、（４）および（５）との順序通りに使用しなければならない構成になっている。
【００３５】
従って、例えば図７の（１）から（２）、（３）、（４）を飛び越して（５）のキーを使用すると、（２）、（３）、（４）のキー５が全て使用できなくなってしまうのである。
【００３６】
なぜなら、図７の（５）のキー５を挿入して、内筒４を回転させると、キー５の基端側一番目に位置する操作孔１３から先端側二番目に位置する操作孔１３の４つの操作孔１３が浅い操作孔１３になっているため、それぞれ浅い操作孔１３に対応する第１摺動孔７，第２摺動孔８に収容されている第１ピン８，第２ピン９及び離脱可能ピン１０が図１の（Ｂ）の状態となり、その状態から内筒４を回転すると、それぞれの離脱可能ピン１１・・・は図２の（Ａ）に示すようにそれぞれ離脱可能ピン収容孔１２・・・内に収容され、以後図７の（１）、（２）、（３）及び（４）に示すキー５を使用すると、図２の（Ｂ）の状態となって図７の（１）、（２）、（３）及び（４）に示すキー５が一挙に使用不可の状態となるからである。
【００３７】
したがって、５つのキー５を順序どおり使用できるようにしておくためには、いわゆる更新するキー５の使用順序を決して間違わず、錯誤のないシステムとしておくことが重要となってくるのである。
【００３８】
そこで本実施例にあっては、複数種類あるキー５・・・の収納およびパッケージを創案するに至った。
【００３９】
すなわち、図５及び図６に示すように、まず、一番最後に使用するキー５（第４更新キー）３本を第１パッケージ部１４として形成する。
【００４０】
次いで、最後から２番目に使用するキー５（第３更新キー）３本を前記第１パッケージ部１４と共にパッケージして第２パッケージ部１５を形成する。
【００４１】
さらに、この第２パッケージ部１５と共に、最後から３番目に使用するキー５（第３更新キー）３本をパッケージして第３パッケージ部１６を形成する。
【００４２】
さらに、この第３パッケージ部１６と共に、第１番目に更新して使用するキー３本をパッケージして第４パッケージ部１７を形成する。
【００４３】
そして、この第４パッケージ部１７と共に基のキー５の３本をパッケージして第５パッケージ部１８を形成しているのである。
【００４４】
ここで、キー５は３本を一組としてあるが、３本に限定されるものではない。また、各パッケージ部の形成に際しては耐久性があり、かつ容易に破ることが出来ない材質を使用することが好ましい。
【００４５】
さらに、内部にキー５が収納されているのがわからないような透過性のない材質のものが好ましい。
しかして、図６から理解されるように、当初、本実施例の錠装置使用者は第５パッケージ部１８の状態でキー５が本実施例のシリンダ錠装置と共に取得することになる。
【００４６】
そして、例えば建設業者など最初の本実施例の錠装置使用者が前記第５パッケージ部１８を開封し、図６の（１）に示すように第５パッケージ部１８の中で露出状態になっているキー５を基のキーとして使用することになる。
【００４７】
次に、前記建設業者は例えば建物の完成後において当初の住宅取得者に第４パッケージ部１７としてパッケージされているキー５群を手渡すことになる。
【００４８】
ここで、当初の住宅取得者は図６の（２）に示すように、第４パッケージ部１７を開封し、その中で露出状態となっている第１番目に更新できるキー５を容易に選択して取り出す。
【００４９】
そして、前記第１番目に更新できるキー５を使用して施解錠操作を行うと、前述した離脱可能ピン１１が離脱して離脱可能ピン収容孔１２内に収容される。
【００５０】
これにより前記の建設業者が使用していた基のキー５が使用不可状態とされ、前記の第１番目に更新できるキー５のみが使用できる状態となる。
【００５１】
さらに、当初の住宅取得者は図６の（２）に示すように次の段階において更新できるキー５群を第３パッケージ部１６として所持しており、長期間を経て住宅の取得者が変わったとしてもこの第３パッケージ部１６を手渡すだけでシリンダ錠装置の更新が行える。
【００５２】
すなわち、例えば数十年経て当該住宅を譲渡し、たとえ住宅取得者が変わったとしても前記の第３パッケージ部１６を手渡せば、決してシリンダ錠装置本体自体を交換する必要はない。
【００５３】
新たな住宅取得者は図６の（３）に示すように第３パッケージ部１６を開封し、その中で露出状態となっているキー５を用意に選択出来、該キー５によって施解錠操作をすれば、前記従来から使用してきたキー５の使用を更新して使用不可状態とし、当該キー５のみを使用できるキーに更新できる。
【００５４】
例えば頻繁に住宅所有者が変更されたとしても、この各パッケージ部を手渡せば容易にチェンジキーが出来るものとなる。
しかして、本実施例で示した４回の更新が出来るパッケージ数に限定されるものではなく、また本実施例で示したパッケージ方法に限定されるものでもない。さらに、使用者などがキーを確定された順序通りに使用できるようなパッケージであれば本実施例のパッケージに到底限定されるものではない。
【図面の簡単な説明】
【００５５】
【図１】本発明による錠装置の概略構成を示す概略構成説明図（その１）である。
【００５６】
【図２】本発明による錠装置の概略構成を示す概略構成説明図（その２）である。
【００５７】
【図３】キーの構成の一実施例を説明する構成説明図である。
【００５８】
【図４】本発明による錠装置の概略構成を示す概略構成説明図（その３）である。
【００５９】
【図５】キーのパッケージ状態を説明する説明図（その１）である。
【００６０】
【図６】キーのパッケージ状態を説明する説明図（その２）である。
【００６１】
【図７】使用順序が確定されているキーを説明する説明図である。
【符号の説明】
【００６２】
１            錠装置      
２            外筒      
３            嵌合孔      
４            内筒          
５            キー  
６            キー挿入溝      
７            第１摺動孔          
８            第２摺動孔            
９            第１ピン                  
１０            第２ピン            
１１            離脱可能ピン
１２            離脱可能ピン収容孔
１３            操作孔
１４            第１パッケージ部  
１５            第２パッケージ部  
１６            第３パッケージ部      
１７            第４パッケージ部          
１８            第５パッケージ部          
【図１】
2006097287.tif 000003
【図２】
2006097287.tif 000004
【図３】
2006097287.tif 000005
【図４】
2006097287.tif 000006
【図５】
2006097287.tif 000007
【図６】
2006097287.tif 000008
【図７】
2006097287.tif 000009